(57)【要約】【課題】１本糸錠縫化ハンドステッチミシンにおいて、鉤針を回動軸として被縫製体を手動回動操作するにあたり、被縫製体の布厚に応じて押え金の押え上がり量を調節する。【解決手段】鉤針が上死点から下降して被縫製体に貫通し、下死点から上昇して被縫製体から抜け出す前に、被縫製体を針板１２上で押え金５０１で押圧保持する押圧保持を解除して被縫製体の送り方向を鉤針を回動軸として回動操作するための回動操作／直線送り切換機構５４０と、被縫製体の布厚に応じて押え金の押え上がり量を調節するための押え上がり量調節機構５２０とを備えている。【選択図】図２
2010213867.tif 000002
【特許請求の範囲】
【請求項１】
上死点から下降し針板に載置され押え金で押圧保持される被縫製体に貫通し、下死点から前記被縫製体から抜け出して上昇し、垂直方向に直線往復運動する第１ストロークにおいて上死点から下降し前記被縫製体に貫通し、下死点から上昇する際に、糸を捕捉し、第２ストロークにおいて上死点から下降し前記被縫製体に貫通し、下死点から上昇する際に、捕捉されていた糸を解放する糸捕捉鉤を側設した鉤針と、前記針板の下方にあって糸が巻装され前記糸が糸出口から引き出される釜であって、前記第１ストロークにおいて前記上死点から下降し前記被縫製体に貫通し、前記下死点から上昇する際に、前記糸捕捉鉤で糸を捕捉した前記鉤針の上昇に伴って前記糸を糸締めすると共に、前記鉤針が前記第２ストロークにおいて上死点から下降し前記被縫製体に貫通し、下死点から上昇する際に、前記糸捕捉鉤で捕捉されていた糸を前記釜が回転して掬う剣先を有し、捕捉されていた糸を前記釜の回転によって前記釜の剣先で掬って前記糸捕捉鉤から解放し、解放された糸を前記釜が更に回転することにより前記釜にくぐり入れて前記釜に巻装されている糸に交錯させる釜と、前記釜が回転することにより前記釜からくぐり出た糸を糸締めする糸引出作動子と、前記鉤針を前記第１ストロークにおいて前記被縫製体から抜け出して上昇させ上死点を通過する間に、前記被縫製体を１縫目ピッチ送りするとともに、前記鉤針を前記第２ストロークにおいて前記被縫製体から抜け出して上昇させ上死点を通過する間に、前記被縫製体を１縫目間ピッチ送りする送り歯とを備えることにより前記被縫製体の表面にハンドステッチ縫目、裏面に錠縫縫目をそれぞれ形成する１本糸錠縫化ハンドステッチミシンにおいて、
前記鉤針が上死点から下降して前記被縫製体に貫通し、前記下死点から上昇して前記被縫製体から抜け出す前に、前記被縫製体を前記針板上で前記押え金で押圧保持する押圧保持を解除して前記被縫製体の送り方向を前記鉤針を回動軸として回動操作するための回動操作／直線送り切換機構と、前記被縫製体の布厚に応じて前記押え金の押え上がり量を調節するための押え上がり量調節機構とを備えることを特徴とする１本糸錠縫化ハンドステッチミシン。
【請求項２】
前記押え上がり量調節機構は、アームに取着された上軸から前記押え金を支持する押え棒に直線往復運動を付与する回転・垂直運動変換装置と、前記回転・垂直運動変換機構に設けられ前記直線往復運動の直線往復ストロークを変動して前記押え上がり量を調節するための押え上がり量調節装置とを有することを特徴とする請求項１記載の１本糸錠縫化ハンドステッチミシン。
【請求項３】
前記回動操作／直線送り切換機構は、前記押え上がり量調節機構を動作／不動作とすることによって前記被縫製体の回動操作／直線送り切換を行なう回動操作／直線送り切換装置を有することを特徴とする請求項１又は請求項２記載の１本糸錠縫化ハンドステッチミシン。
【請求項４】
前記押え棒で前記押え金を前記被縫製体に対して押圧する圧力調節バネと、前記圧力調節バネによる前記押え金の前記被縫製体に対する押圧力を調節するダイヤル手段とを有する押圧力調節機構を備えることを特徴とする請求項２又は請求項３記載の１本糸錠縫化ハンドステッチミシン。
【発明の詳細な説明】
【技術分野】
【０００１】
本発明は、１本糸錠縫化ハンドステッチミシンに係り、特に鉤針を回動軸として被縫製体を手動回動操作するにあたり、被縫製体の布厚に応じて押え金の押え上がり量を調節することができる１本糸錠縫化ハンドステッチミシンに関する。
【背景技術】
【０００２】
本出願人は、ピンポイント／サドルステッチと呼ばれる擬似ハンドステッチに適する１本糸錠縫化ハンドステッチミシンを提案している（例えば、特許文献１参照）。
【先行技術文献】
【特許文献】
【０００３】
【特許文献１】特許第３９６３９３９号公報
【発明の概要】
【発明が解決しようとする課題】
【０００４】
而して、特許文献１開示の１本糸錠縫化ハンドステッチミシンでは、鉤針が上死点から下降して被縫製体に貫通し、下死点から上昇して被縫製体から抜け出す前に、被縫製体を針板上で押圧保持する押圧保持を解除して被縫製体の送り方向を鉤針を回動軸として手動回動操作することが可能である。
【０００５】
しかしながら、手動回動操作するにあたって、押え金の押え上がり量は被縫製体の最大布厚に設定されて固定されているので、薄地の被縫製体を縫製しようとする際には鉤針が最下点から上昇する時点での鉤針と被縫製体との摩擦によって被縫製体の布暴れが生じ、縫品質の低下を来す。また、被縫製体の布厚に対して押え金の押え上がり量が大きい場合、被縫製体上で押え金の上下動が目立ち縫製者に与える違和感が生じるという難点がある。
【０００６】
本発明は、このような従来の難点を解消するためになされたもので、鉤針を回動軸として被縫製体を手動回動操作するにあたり、被縫製体の布厚に応じて押え金の押え上がり量を調節することができる１本糸錠縫化ハンドステッチミシンを提供することを目的とする。
【課題を解決するための手段】
【０００７】
このような目的を達成するために本発明の１本糸錠縫化ハンドステッチミシンは、上死点から下降し針板に載置され押え金で押圧保持される被縫製体に貫通し、下死点から被縫製体から抜け出して上昇し、垂直方向に直線往復運動する第１ストロークにおいて上死点から下降し被縫製体に貫通し、下死点から上昇する際に、糸を捕捉し、第２ストロークにおいて上死点から下降し被縫製体に貫通し、下死点から上昇する際に、捕捉されていた糸を解放する糸捕捉鉤を側設した鉤針と、針板の下方にあって糸が巻装され糸が糸出口から引き出される釜であって、第１ストロークにおいて上死点から下降し被縫製体に貫通し、下死点から上昇する際に、糸捕捉鉤で糸を捕捉した鉤針の上昇に伴って糸を糸締めすると共に、鉤針が第２ストロークにおいて上死点から下降し被縫製体に貫通し、下死点から上昇する際に、糸捕捉鉤で捕捉されていた糸を釜が回転して掬う剣先を有し、捕捉されていた糸を釜の回転によって釜の剣先で掬って糸捕捉鉤から解放し、解放された糸を釜が更に回転することにより釜にくぐり入れて釜に巻装されている糸に交錯させる釜と、釜が回転することにより釜からくぐり出た糸を糸締めする糸引出作動子と、鉤針を第１ストロークにおいて被縫製体から抜け出して上昇させ上死点を通過する間に、被縫製体を１縫目ピッチ送りするとともに、鉤針を第２ストロークにおいて被縫製体から抜け出して上昇させ上死点を通過する間に、被縫製体を１縫目間ピッチ送りする送り歯とを備えることにより被縫製体の表面にハンドステッチ縫目、裏面に錠縫縫目をそれぞれ形成するものである。
【０００８】
この１本糸錠縫化ハンドステッチミシンは、鉤針が上死点から下降して被縫製体に貫通し、下死点から上昇して被縫製体から抜け出す前に、被縫製体を針板上で押え金で押圧保持する押圧保持を解除して被縫製体の送り方向を鉤針を回動軸として回動操作するための回動操作／直線送り切換機構と、被縫製体の布厚に応じて押え金の押え上がり量を調節するための押え上がり量調節機構とを備えている。
【０００９】
この１本糸錠縫化ハンドステッチミシンにおいて、押え上がり量調節機構は、アームに取着された上軸から押え金を支持する押え棒に直線往復運動を付与する回転・垂直運動変換装置と、回転・垂直運動変換機構に設けられ直線往復運動の直線往復ストロークを変動して押え上がり量を調節するための押え上がり量調節装置とを有する。
【００１０】
この１本糸錠縫化ハンドステッチミシンにおいて、回動操作／直線送り切換機構は、押え上がり量調節機構を動作／不動作とすることによって被縫製体の回動操作／直線送り切換を行なう回動操作／直線送り切換装置を有する。
【００１１】
この１本糸錠縫化ハンドステッチミシンにおいて、押え棒で押え金を被縫製体に対して押圧する圧力調節バネと、圧力調節バネによる押え金の被縫製体に対する押圧力を調節するダイヤル手段とを有する押圧力調節機構を備えている。
【発明の効果】
【００１２】
本発明の１本糸錠縫化ハンドステッチミシンによれば、鉤針を回動軸として被縫製体を手動回動操作するにあたり、被縫製体の布厚に応じて押え金の押え上がり量を調節することができる。
【図面の簡単な説明】
【００１３】
【図１】本発明の１本糸錠縫化ハンドステッチミシンを示す全体斜視図である。
【図２】本発明の１本糸錠縫化ハンドステッチミシンにおける押え上がり量調節機構及び回動操作／直線送り切換機構を含む押え機構を示す斜視図である。
【図３（Ａ）】本発明の１本糸錠縫化ハンドステッチミシンにおける押え上がり量調節機構における回転・垂直運動変換装置を示す分解斜視図である。
【図３（Ｂ）】本発明の１本糸錠縫化ハンドステッチミシンにおける押え上がり量調節機構の回転・垂直運動変換装置及び押え上がり量調節装置を示す分解斜視図である。
【図３（Ｃ）】本発明の１本糸錠縫化ハンドステッチミシンにおける押え機構における押え金の被縫製体に対する押圧力調節機構を示す分解斜視図である。
【図４】本発明の１本糸錠縫化ハンドステッチミシンにおける押え上がり量調節機構及び回動操作／直線送り切換機構の動作を示す斜視図で、押え上がり量が０（ゼロ）であって直線縫い可能状態を示す。
【図５】本発明の１本糸錠縫化ハンドステッチミシンにおける押え上がり量調節機構及び回動操作／直線送り切換機構の動作を示す斜視図で、押え上がり量が最大であって曲線縫い可能状態を示す。
【図６（Ａ）】本発明の１本糸錠縫化ハンドステッチミシンにおける押え上がり量調節機構及び回動操作／直線送り切換機構を含む押え機構の押え上がり量０（ゼロ）設定の押え上げしないタイミング時の動作を示す図である。
【図６（Ｂ）】本発明の１本糸錠縫化ハンドステッチミシンにおける押え上がり量調節機構及び回動操作／直線送り切換機構を含む押え機構の押え上がり量０（ゼロ）設定の押え上げしたタイミング時の動作を示す図である。
【図６（Ｃ）】本発明の１本糸錠縫化ハンドステッチミシンにおける押え上がり量調節機構及び回動操作／直線送り切換機構を含む押え機構の押え上がり量最大設定の押え上げしないタイミング時の動作を示す図である。
【図６（Ｄ）】本発明の１本糸錠縫化ハンドステッチミシンにおける押え上がり量調節機構及び回動操作／直線送り切換機構を含む押え機構の押え上がり量最大設定の押え上げしたタイミング時の動作を示す図である。
【図７】本発明の１本糸錠縫化ハンドステッチミシンにおける鉤針・蓋針駆動機構及び針板構造を示す斜視図である。
【図８】本発明の１本糸錠縫化ハンドステッチミシンにおける半回転釜及び釜駆動機構を示す斜視図である。
【図９】本発明の１本糸錠縫化ハンドステッチミシンにおける送り量設定機構、布送り機構及び布送り駆動機構を示す斜視図である。
【図１０】本発明の１本糸錠縫化ハンドステッチミシンにおける糸引出作動子を駆動する糸引出駆動機構を示す斜視図である。
【図１１】本発明の１本糸錠縫化ハンドステッチミシンにおける針板に被縫製体を載置して回動操作／直線送り切換機構を回動操作に切換して、鉤針が上死点から下降し被縫製体に貫通して下死点での押え金の押え上がり状態を示す図である。
【図１２】鉤針と蓋針との関係を示す部分斜視図で、（Ａ）は鉤針の糸捕捉鉤が蓋針で閉状態になった図、（Ｂ）は鉤針の糸捕捉鉤が開状態になった図である。
【図１３】（Ａ）、（Ｂ）、（Ｃ）は本発明による１本糸錠縫化ハンドステッチミシンで得られる擬似ハンドステッチ縫目構造を示す説明図である。
【図１４】本発明による１本糸錠縫化ハンドステッチミシンのモーションダイヤグラムである。
【発明を実施するための形態】
【００１４】
以下、本発明の１本糸錠縫化ハンドステッチミシンをその好ましい実施の形態例について図面に基づき説明する。
【００１５】
本発明の１本糸錠縫化ハンドステッチミシンは図１、図９、図１０に示すように、アーム２及びベッド３からなるフレーム１に、糸捕捉鉤１３ａ（図１１−図１２）を側設し垂直方向に直線往復運動して被縫製体２１（図１１、図１３）に縫糸２０を刺し通す鉤針１３、半回転正転と半回転逆転して縫糸２０を交差させ縫目を作る半回転釜２００、往復運動して縫糸２０に弛みを与えたり縫目を糸締めたりする糸引出作動子４０１（図１０）及び楕円運動して被縫製体２１を送り出す送り歯６０１等が装着され、半回転釜２００に巻装された１本の縫糸２０で被縫製体２１の表面にハンドステッチ縫目、裏面に錠縫縫目をそれぞれ形成させるミシンである。
【００１６】
アーム２には、上軸５及び中間軸８（図１０）、ベッド３には水平送り軸６０５、上下送り軸６１３（図９）及び釜軸２０１（図８）が、それぞれ軸方向が水平方向に設置されている。
【００１７】
上軸５は上軸前メタル７及び上軸後メタル６で、中間軸８は中間軸前メタル９及び中間軸後メタル１０（図８、図９）でそれぞれアーム２bに回動自在に設置されている。
【００１８】
水平送り軸６０５は水平送り軸前メタル６０６及び水平送り軸後メタル６０７で、上下送り軸６１３は上下送り軸前メタル６１４及び上下送り軸後メタル６１１でそれぞれベッド３に回動自在に設置されている。
【００１９】
釜軸２０１は釜軸後メタル２２５および外釜取付部２０２ｃとでベッド３に回動自在に設置されると共に、後述する半回転釜２００の内釜ドライバー２０３に固定されている（図１、図８、図１１）。
【００２０】
上軸５の一端には手動プーリ４が設けられモータＭにより無端ベルトである駆動ベルトＭＢ（図９）を介して駆動される。モータＭは電源部９００から給電される。
【００２１】
また、上軸５の他端には鉤針１３を駆動する鉤針・蓋針駆動機構１００の釣合錘１０１？（図１−図７）が設けられている。
【００２２】
上軸５の中間には送り歯６０１を楕円運動させる布送り機構６００を駆動する布送り駆動機構７００（図１、図９）が連結されている。
【００２３】
上軸５の手動プーリ４に近傍する部位には後述する縫目ピッチ・縫目間ピッチの送り量設定機構３００を駆動する上軸駆動プーリ２５が設けられている（図９）。
中間軸８には半回転釜２００を駆動する釜駆動機構２２０（図８）及び糸引出作動子４０  送り量設定機構３００は、縫目ピッチＰ１、縫目間ピッチＰ２（図１３）の送り量を設定するもので、図１３（Ａ）は１縫目ピッチＰ１、縫目間送りの１縫目ピッチＰ２を標準送りにした場合、図１３（Ｂ）は１縫目ピッチＰ１を最小送りにして、縫目間送りの１縫目ピッチＰ２を最大送りにした場合、図１３（Ｃ）は１縫目ピッチＰ１を最大送りにして、縫目間送りの１縫目ピッチＰ２を最小送りにした場合を示す。なお、送り量設定機構３００の構成については、特許文献１に詳細に記載されており、また本発明の特徴でもないので、本発明において、その詳細な説明は省略する。
【００２４】
１を駆動する糸引出駆動機構４００（図１０）が連結されている。
【００２５】
鉤針・蓋針駆動機構１００は、鉤針１３を、上死点から下降し針板１２に載置された被縫製体２１に貫通し、下死点から被縫製体２１から抜け出して上昇し、垂直方向に直線往復運動する第１ストロークにおいて上死点から下降し被縫製体２１に貫通し、下死点から上昇する際に、縫糸２０を糸捕捉鉤１３ａで捕捉し、第２ストロークにおいて上死点から下降し被縫製体２１に貫通し、下死点から上昇する際に、糸捕捉鉤１３ａで捕捉されていた縫糸２０を解放することができる機構構成である（図１、図７−図１１）。なお、本明細書において、「鉤針１３の第１ストローク」とは鉤針１３が針上死点→針下死点→針上死点に至るまでの１針目、「鉤針１３の第２ストローク」とは鉤針１３が針上死点→針下死点→針上死点に至るまでの２針目のことを意味する。
【００２６】
鉤針１３は、図１２に示すように、糸捕捉鉤１３ａを備え、鉤針１３が被縫製体２１を貫通し、またそれから抜け出るとき糸捕捉鉤１３ａを閉塞する蓋針１４（図１２（Ａ）、（Ｂ））と協働し、図１４に示すモーションダイヤグラムのように機能するものである。
【００２７】
鉤針１３は、図１、図７、図１１に示すように、針留１０７に固定され、針留１０７は垂直方向に直線往復運動可能な状態でアーム２ａに設置された針棒１１の下端部に、針止めネジ１０８で固定されている。また、針棒上メタル部及び針棒下メタル部間の針棒１１には針棒抱が固定され、この針棒抱に形成されたクランクロッドピンは針棒クランクロッドの一端が回動自在に連結され、針棒クランクロッドの他端は上軸５の他端に固着された釣合錘１０１にクランクロッドピンによって回動自在に連結されている。したがって、針棒クランクロッドが上軸５の回転により釣合錘１０１を介してクランク運動するので、鉤針１３が針留１０７で固定された針棒１１が針棒抱によって垂直方向に直線往復運動する。
【００２８】
この鉤針・蓋針駆動機構１００の近傍には図１、図２、図７に示すように、被縫製体２１を針板１２に押え付けるための押え金５０１を動作させる押え機構５００が設けられている。押え機構５００は、押え棒５０３が垂直方向に直線往復運動可能にアーム２ａに設置され、押え棒５０３の下端部に、押え金５０１が揺動自在に取り付けられた押え足５０２が押え止ネジ５０９で固定されている。
【００２９】
また、押え棒５０３の上部には押え圧力調節バネ受け５０８が嵌合され、押え圧力調節バネ受け５０８はアーム２ａの上部に設置されるダイヤル５１０のカムリフトにしたがって上下する押え調節連結子５０９によって押え圧力調節バネ受け５０８の上下位置が位置決めされている。押え棒５０３には押え棒抱き５０５が固定され、押え棒抱き５０５と押え圧力調節バネ受け５０８との間には押え圧力調節バネ５０４が押え棒５０３に嵌めこまれている。
また、この押え圧力調節バネ５０４による押え金５０１の被縫製体２１に対する押圧力は、押え圧力調節バネ受け５０８の垂直位置をダイヤル５１０を回すことによって調節できる。
【００３０】
さらに、押え金５０１を手動で上下させるために、押え棒抱き５０５の係止部５０５ａに係合する押え上げレバー５０６がアーム２ａに固定された押え上げレバー軸５０７に回動自在に設けられている。押え上げレバー５０６を上昇させると押え上げレバー５０６の上端に設けられた押え上げカム５０６ａが押え棒抱き５０５の係止部５０５ａを押上げて押え棒抱き５０５が上昇し、下降させると押え棒抱き５０５が下降する。
【００３１】
したがって、押え上げレバー５０６を上昇させて押え金５０１及び針板１２間に空間を作り、被縫製体２１を針板１２上に載せたら押え上げレバー５０６を下降させて当該被縫製体２１を押え金５０１で針板１２に押し付けることで、被縫製体２１を針板１２上にセットすることができる。
【００３２】
布送り機構６００は図１、図９に示すように、鉤針１３を第１ストロークにおいて被縫製体２１から抜け出して上昇させ上死点を通過する間に、被縫製体２１を１縫目ピッチ送りするとともに、鉤針１３を第２ストロークにおいて被縫製体２１から抜け出して上昇させ上死点を通過する間に、被縫製体２１を１縫目間ピッチ送りする送り歯６０１を備えている。
【００３３】
この布送り機構６００は図１、図９に示すように、針板１２の下方に設けられ、送り歯６０１が送り土台６０２に固定されている。送り土台６０２の一端は、水平送り軸６０５の一方に固定された水平送り腕６０４に水平送り腕軸６０３によって回動自在に連結されている。したがって、水平送り軸６０５を往復回転させることで水平送り腕６０４が往復揺動するので、送り歯６０１を水平方向で往復運動させることができる。また、送り土台６０２の他端には下方より上下送りカム６１６により摺動可能に支えられている。この上下送りカム６１６は、上下送り軸６１３の一端に固定された変形外周カムである。したがって、上下送り軸６１３を往復回転することで上下送りカム６１６が送り土台６０２の他端を上下方向に往復運動させることができる。
【００３４】
布送り駆動機構７００は、図９に図示されているように、送り量設定機構３００（図１、図９）で設定された縫目ピッチ送り量、縫目間ピッチ送り量を伝達して送り歯６０１により被縫製体２１を送るもので、上軸５に、水平送り軸６０５を往復回転させる水平送りカム７０１と、上軸５に固定され上下送り軸６１３を往復回転させる上下送りカム７１７とが固定されている。
【００３５】
このように水平送り軸６０５を往復回転させることで、水平送り腕６０４が往復揺動して送り土台６０２を水平方向で往復運動させ、上下送り軸６１３を往復回転させることで、送り土台６０２の他端を上下方向に往復運動させる。したがって、送り土台６０２に固定された送り歯６０１は、上昇→前進→下降→後退という所謂送りの四工程運動をすることができる。
【００３６】
次に、半回転釜２００及び釜駆動機構２２０は、図１、図８、図１１に示すように、針板１２の下方にあって縫糸２０が巻装され縫糸２０が糸出口２１２ａから引き出される釜であって、第１ストロークにおいて上死点から下降し被縫製体２１に貫通し、下死点から上昇する際に、半回転逆転し、糸捕捉鉤１３ａで縫糸２０を捕捉した鉤針１３の上昇に伴ってさらに逆転することにより縫糸２０を糸締めすると共に、鉤針１３が第２ストロークにおいて上死点から下降し被縫製体２１に貫通し、下死点から上昇する際に、糸捕捉鉤１３ａで捕捉されていた縫糸２０を釜が半回転正転して掬う剣先２０５ａを有し、捕捉されていた縫糸２０を釜の回転によって釜の剣先２０５ａで掬って糸捕捉鉤１３ａから解放し、解放された縫糸２０を釜が更に回転することにより釜にくぐり入れて釜に巻装されている縫糸２０に交錯させることができる機構構成である。また、釜駆動機構２２０は中間軸８が回転すると、釜駆動三角カム２３０が偏心運動することで釜駆動二又２３１が釜駆動二又軸２３２を支点にして釜駆動縦ロッド２２８を上下運動させるので、アーム２ｂに固着された扇型歯車軸２２１に枢着される釜駆動扇型歯車２３３を往復揺動させる。この釜駆動扇型歯車２３３の往復揺動に基づき釜軸歯車２２４が固定された釜軸２０１も一定の回転角で往復回転運動するので、半回転釜２００の内釜２０６を半回転正転、半回転逆転させることができる。
【００３７】
次に、糸引出駆動機構４００は図１、図１０、図１１に示すように、糸引出作動子４０１が、鉤針１３の糸捕捉鉤１３ａが縫糸２０を捕捉する際に半回転釜２００が回転することにより糸出口２１２ａから引き出されている縫糸２０を鉤針１３に周接して緊張するとともに半回転釜２００からくぐり出た縫糸２０を糸締めすることができる機構構成である。なお、本明細書において、「周接」とは鉤針のある部位の周りに接していることを意味する。この糸引出作動子４０１は、糸捕捉鉤１３ａで捕捉されていた縫糸２０が半回転釜２００の剣先２０５ａで掬われた後、半回転釜２００の糸出口２１２ａから引き出されている縫糸２０を引掛け、半回転釜２００から引出して糸締めし、糸捕捉鉤１３ａで縫糸２０を捕捉した後、引掛けている縫糸２０を釈放する機能を有している。
【００３８】
この糸引出駆動機構４００は図１０に示すように、中間軸８の水平方向における回転運動を垂直方向における回転運動に変換するねじ歯車４１０（４１０Ａ、４１０Ｂ）と、ねじ歯車４１０で水平方向から垂直方向に変換された回転運動を伝達する糸引出作動子駆動カム軸４０８と、糸引出作動子駆動カム軸４０８の回転運動を糸引出作動子４０１に上述した機能をもたせる糸引出作動子駆動カム４０７とを備えている。
【００３９】
本発明の１本糸錠縫化ハンドステッチミシンは、図１に示すように、第２ストロークにおいて鉤針１３が下死点から上昇し、被縫製体２１から抜け出す前に糸引出作動子４０１（図１０）から釈放された余剰な糸を糸締めするにあたり、第２ストロークにおいて鉤針１３が上死点から下降する際に糸捕捉鉤１３ａで捕捉されて懸架されている２本の糸のうち縫目を形成しつつある側の糸、即ち鉤針１３に掛け止められ引上げられる２本の糸の鉤針エグリの反対方向、即ち縫目を形成しつつある側の糸１本を引上げるとともに糸捕捉鉤で捕捉されていた糸を釜２００が回転して内釜の剣先２０５ａが糸を掬うとき引上げられた糸を解放する糸制御機構８００を備えている。糸制御機構８００は、糸の制御を行なうにあたり、糸捕捉鉤１３ａで捕捉されて懸架されている２本の糸のうち縫目を形成しつつある側の糸を引上げるとともに糸捕捉鉤で捕捉されていた糸を釜２００が回転して掬うとき引上げられた糸を解放する糸制御作動子８０１を有し、図１４に示すモーションダイヤグラムのように機能するものである。なお、糸制御機構８００の構成については、特願２００９−５８５１５明細書に詳細に記載されており、また本発明の特徴でもないので、本発明において、その詳細な説明は省略する。
【００４０】
鉤針・蓋針駆動機構１００の近傍には図１、図２、図７に示すように、被縫製体２１を針板１２に押え付けるための押え金５０１を動作させる押え機構５００が設けられている。押え機構５００は図７に示すように、押え棒５０３が垂直方向に直線往復運動可能にアーム２ａに設置され、押え棒５０３の下端部に、押え金５０１が揺動自在に取り付けられた押え足５０２が押え止ネジ５０９で固定されている。また、押え棒５０３の上部には押え圧力調節バネ受け５０８が嵌合され、押え圧力調節バネ受け５０８はアーム２ａの上部に摺動自在に嵌合されている。押え棒５０３の中間部には押え棒抱き５０５が固定され、押え棒抱き５０５と押え圧力調節バネ受け５０８の下面との間には押え圧力調節バネ５０４が押え棒５０３に嵌めこまれている。
【００４１】
アーム２ａに固定される蓋針駆動カム板１１９（図３（Ｂ）、図３（Ｃ））のネジ穴１１９ｅにはスペーサ５１３が押え調節連結子５０９の２つの長穴５０９ｄに嵌合して押え調節連結子５０９を上下摺動自在にネジで固定している。
【００４２】
また、蓋針駆動カム板１１９の上端腕部にはダイヤル軸５１１が固着され、ダイヤル（ダイヤル手段）５１０の中心穴ダイヤル５１０ａを嵌入してＥリングで止められている。ダイヤル５１０の内側の蓋針駆動カム板１１９側には押圧力調節カム５１０ｂが設けられて押え調節連結子５０９のカムフォロア５０９ｂが当接する。ダイヤル５１０の外側にはダイヤルを操作して圧力設定する時の回転止め５１０ｄが設けられ、蓋針駆動カム板１１９の腕部１１９ｉに固定されるラチェットバネ５１２によってダイヤル５１０は設定位置決めされる。
【００４３】
押え調節連結子５０９の上端５０９ａは９０度屈折して押え圧力調節バネ受け５０８の上端の係止溝５０８ａに嵌入して、ダイヤル５１０の設定による押圧力調節カム５１０ｂのリフトに従って押え調節連結子５０９を介して押え圧力調節バネ受け５０８を位置決めすることにより押え圧力調節バネ５０４が押え金５０１に押圧力を与える。
【００４４】
このようにして押え棒５０３で押え金５０１を被縫製体２１に対して押圧する圧力調節バネ５０４と、圧力調節バネ５０４による押え金５０１の被縫製体２１に対する押圧力を調節するダイヤル５１０とで押圧力調節機構５００ａが構成されている。
【００４５】
この押え圧力調節バネ５０４による押え金５０１の被縫製体２１に対する押圧力は、押圧力調節機構５００ａの押え圧力調節バネ受け５０８の垂直位置をダイヤル５１０を回すことによって調節できる。
【００４６】
さらに、押え金５０１を手動で上下させるために、押え棒抱き５０５の係止部５０５ａに係合する押え上げレバー５０６がアーム２ａに固定された押え上げレバー軸５０７に回動自在に設けられている。押え上げレバー５０６を上昇させると押え上げレバー５０６の上端に設けられた押え上げカム５０６ａが押え棒抱き５０５の係止部５０５ａを押上げて押え棒抱き５０５が上昇し、下降させると押え棒抱き５０５が下降する。
【００４７】
したがって、押え上げレバー５０６を上昇させて押え金５０１及び針板１２間に空間を作り、被縫製体２１を針板１２上に載せたら押え上げレバー５０６を下降させて当該被縫製体２１を押え金５０１で針板１２に押し付けることで、被縫製体２１を針板１２上にセットすることができる。
【００４８】
また、一部上記したように、押え棒５０３の上部には押え圧力調節バネ受け５０８が嵌合され、押え圧力調節バネ受け５０８はアーム２ａの上部に設置されるダイヤル５１０のカムリフトにしたがって上下する押え調節連結子５０９によって押え圧力調節バネ受け５０８の上下位置が位置決めされている。押え棒５０３には押え棒抱き５０５が固定され、押え棒抱き５０５と押え圧力調節バネ受け５０８との間には押え圧力調節バネ５０４が押え棒５０３に嵌めこまれている。また、この押え圧力調節バネ５０４による押え金５０１の被縫製体２１に対する押圧力は、押え圧力調節バネ受け５０８の垂直位置をダイヤル５１０を回すことによって調節できる。
【００４９】
さらに、押え金５０１を上下させるために、押え棒抱き５０５の係止部５０５ａに係合する押え上げレバー５０６がアーム２ａに固定された押え上げレバー軸５０７に回動自在に設けられている。押え上げレバー５０６を上昇させると押え上げレバー５０６の上端に設けられた押え上げカム５０６ａが押え棒抱き５０５の係止部５０５ａを押上げて押え棒抱き５０５が上昇し、下降させると押え棒抱き５０５が下降する。
【００５０】
図１、図２、図３（Ａ）、図３（Ｂ）、図１１に示すように、１本糸錠縫化ハンドステッチミシンは、鉤針１３が上死点から下降して被縫製体２１に貫通し、下死点から上昇して被縫製体２１から抜け出す前に、被縫製体２１を針板１２上で押え金５０１で押圧保持する押圧保持を解除して被縫製体２１の送り方向を鉤針１３を回動軸として手動回動操作するための回動操作／直線送り切換機構５４０と、押え金５０１の被縫製体２１に対する押圧力となる押え圧力調節バネ５０４に抗して、被縫製体２１の布厚に応じて押え金５０１の押え上がり量を調節するための押え上がり量調節機構５２０とを備えている。
【００５１】
この１本糸錠縫化ハンドステッチミシンにおいて、押え上がり量調節機構５２０は、アーム２の先端アーム部２ａに取着された上軸５から押え金５０１を支持する押え棒５０３に直線往復運動を付与する回転・垂直運動変換装置５２０ａと、回転・垂直運動変換機構に設けられ直線往復運動の直線往復ストロークを変動して押え上がり量を調節するための押え上がり量調節装置５２０ｂとを有する。
【００５２】
回転・垂直運動変換装置５２０ａとして、上軸５は押え上げカム５２８が固着され、押え上げカム５２８は、押え上げ駆動軸５２６に固着されバネ５２９で弾発された押え上げカムフォロワ５２７を揺動させる。押え上げ駆動腕５２５が押え上げ駆動軸５２６の一端に固着されている。押え上げ駆動腕５２５はピン５３２でリンク５２４に結合されている。リンク５２４の他端は押え上げリンク５２１の上端５２１ａ及び押え上げ従動リンク５２３の一端にピン５３１で結合されている。押え上げリンク５２１の下端５２１ｂにはピン５３０が嵌入して押え上げ駒５２２に固着されている。このため押え上げ駆動腕５２５が揺動すると、リンク５２４が垂直運動し、それによってリンク５２１が垂直動されて押え上げ駒５２２を介して押え棒５０３に直線往復運動を付与する。
【００５３】
押え上がり量調節装置５２０ｂとして、先端アーム部２ａに取着された押え上がり量調節台５４１の腕間に調節ラチェット５４５が嵌合され、押え上がり量調節ダイヤル５４２はその軸５４３により押え上がり量調節台５４１に回転可能に取付られている。調節ラチェット５４５に設けられた連結ピン５４６は押え上がり量調節腕５４７の長孔５４７ａに嵌合し、押え上がり量調節腕５４７は押え上がり量調節軸５４８の一端に固着され、他端は押え上がり量調節腕５４９を固着し、押え上がり量調節腕５４９の他端と押え上げ従動リンク５２３の他端はピン５３３で結合されている。
【００５４】
このため押え上がり量調節ダイヤル５４２の回転に応じて調節ラチェット５４５、押え上がり量調節腕５４７の長孔５４７ａによって押え上がり量調節腕５４７が固着する押え上がり量調節軸５４８の他端に固着される押え上がり量調節腕５４９にピン５３３で結合される押え上げ従動リンク５２３位置が変動する。すなわち、押え上がり量調節腕５４９の他端とピン５３３で結合されて押え上げ従動リンク５２３がリンク５２４による直線往復運動によって揺動する運動基点が変化し、押え上げ従動リンク５２３が垂直方向に揺動する場合は上下運動量は大きくなり、押え上げ従動リンク５２３が水平方向に揺動する場合は上下運動量は小さくなる。それによって押え上げリンク５２１の上端５２１ａはそのリンク５２４による直線往復運動の揺動方向を変えることによって上下運動量を加減する。すなわち上軸５の回転運動を上下直線往復運動に変動して押え上がり量を調節する。
【００５５】
この１本糸錠縫化ハンドステッチミシンにおいて、回動操作／直線送り切換機構５４０は、押え上がり量調節機構５２０を動作／不動作とすることによって被縫製体２１の回動操作／直線送り切換を行なう回動操作／直線送り切換装置５４０ａを有する。
【００５６】
回動操作／直線送り切換装置５４０ａとして、先端アーム部２ａに取着された押え上がり量調節台５４１の腕間に調節ラチェット５４５が嵌合され、押え上がり量調節ダイヤル５４２はその軸５４３により押え上がり量調節台５４１に回転可能に取付られている。調節ラチェット５４５に設けられた連結ピン５４６は押え上がり量調節腕５４７の長孔５４７ａに嵌合し、押え上がり量調節腕５４７は押え上がり量調節軸５４８の一端に固着され、他端は押え上がり量調節腕５４９を固着し、押え上がり量調節腕５４９の他端と押え上げ従動リンク５２３の他端５２３ａはピン５３３で結合され、押え上げ従動リンク５２３の一端５２３ｂに結合される押え上げリンク５２１の下端５２１ｂにピン５３０によって押え上げ駒５２２に枢着されて、押え棒５０３の中間部に固着される押え棒抱５０５と押え上げ駒５２２との位置関係は、押え上げ駒５２２が当接して押え棒抱５０５を押上げるまでには所定のクリアランスＳが設けられている。
【００５７】
押え上がり量調節ダイヤル５４２による回転量が上記の所定のクリアランスＳを越えるときは押え棒抱５０５を押上げ、押え上がり量調節機構５２０を動作させて被縫製体２１の回動操作を可能にさせ、上記の所定のクリアランス内ならば、押え棒抱５０５を押上げることはなく押え上がり量調節機構５２０は押え金の上昇を不動作とさせ、被縫製体２１の直線送りとすることになる。
【００５８】
このため、回動操作／直線送り切換機構５４０は、押え上がり量調節機構５２０を動作／不動作とすることによって被縫製体２１の回動操作／直線送り切換を行なうことができる。
【００５９】
以下、押え上がり量調節機構５２０の動作について、図６（Ａ）、（Ｂ）、（Ｃ）、（Ｄ）よって説明する。
【００６０】
図６（Ａ）は、押え上がり量調節機構及び回動操作／直線送り切換機構を含む押え機構の押え上がり量０（ゼロ）設定の押え上げしないタイミング時の動作を示している。
【００６１】
押え上げ従動リンク５２３の運動基点であるピン５３３の位置は最下方に位置している。
上軸５は押え上げカム５２８が押え上げカムフォロワ５２７を押上げない状態で押え上げ駆動腕５２５が下方に揺動している。その状態ではリンク５２４がカムからの駆動により押え上げ従動リンク５２３を右方向へ揺動するように伝達している。その結果、リンク５２１は押え上げ駒５２２を最下方へ降下させて押え金５０１は被縫製体２１を押圧している。
【００６２】
図６（Ｂ）は、押え上がり量調節機構及び回動操作／直線送り切換機構を含む押え機構の押え上がり量０（ゼロ）設定の押え上げしたタイミング時の動作を示している。
【００６３】
押え上げ従動リンク５２３の運動基点であるピン５３３の位置は最下方に位置している。
上軸５は押え上げカム５２８が押え上げカムフォロワ５２７を押上げた状態で押え上げ駆動腕５２５が上方に揺動している。その状態ではリンク５２４がカムからの駆動により押え上げ従動リンク５２３を水平左方向へ揺動するように伝達している。それによって上下運動量は小さくなってリンク５２１は押え上げ駒５２２を僅かに上昇させるが所定のクリアランスＳの量より少なく押え金５０１は被縫製体２１を押圧したままである。
【００６４】
図６（Ｃ）は、押え上がり量調節機構及び回動操作／直線送り切換機構を含む押え機構の押え上がり量最大設定の押え上げしないタイミング時の動作を示している。
【００６５】
押え上げ従動リンク５２３の運動基点であるピン５３３の位置は最上方に位置している。
上軸５は押え上げカム５２８が押え上げカムフォロワ５２７を押上げない状態で押え上げ駆動腕５２５が下方に揺動している。その状態ではリンク５２４がカムからの駆動により押え上げ従動リンク５２３を垂直下方向へ揺動するように伝達している。リンク５２１は押え上げ駒５２２を最下方へ降下させて押え金５０１は被縫製体２１を押圧している。
【００６６】
図６（Ｄ）は、押え上がり量調節機構及び回動操作／直線送り切換機構を含む押え機構の押え上がり量最大設定の押え上げしたタイミング時の動作を示している。
【００６７】
押え上げ従動リンク５２３の運動基点であるピン５３３の位置は最上方に位置している。
上軸５は押え上げカム５２８が押え上げカムフォロワ５２７を押上げた状態で押え上げ駆動腕５２５が上方に揺動して押え上げ従動リンク５２３を垂直上方向へ揺動するように伝達している。その状態ではリンク５２４がカムからの駆動を押え上げ従動リンク５２３を
垂直上方向へ揺動するように伝達している。それによって上下運動量は大きくなってリンク５２１は押え上げ駒５２２を所定のクリアランスＳの量を越えて大きく上昇させ押え金５０１は被縫製体２１を押圧せず押圧解除している。
【００６８】
このように構成された本発明の１本糸錠縫化ハンドステッチミシンによれば、各機構が図１４のモーションダイヤグラムで示すように機能して１本糸で錠縫化して被縫製体の表面にハンドステッチ縫目、裏面に錠縫縫目（図１３（Ａ）、（Ｂ）、（Ｃ））を形成することができる。
【００６９】
このように構成された本発明の１本糸錠縫化ハンドステッチミシンによれば、１本糸で錠縫化して被縫製体の表面にハンドステッチ縫目、裏面に錠縫縫目をそれぞれ形成するにあたり、鉤針を回動軸として被縫製体を手動回動操作するにあたり、被縫製体の布厚に応じて押え金の押え上がり量を調節して曲線縫いで綺麗な縫目を形成することができる。
【符号の説明】
【００７０】
２……アーム
２ａ……アーム（先端アーム部）
２ｂ……アーム（基部アーム部）
５……上軸
１２……針板
１３……鉤針
１３ａ……糸捕捉鉤
１４……蓋針
２０……縫糸
２１……被縫製体
１００……鉤針・蓋針駆動機構
２００……半回転釜
２０５ａ……剣先
２１２ａ……糸出口
４０１……糸引出作動子
５００ａ……押圧力調節機構
５０１……押え金
５０３……押え棒
５０４……圧力調節バネ
５１０……ダイヤル（ダイヤル手段）
５２０……押え上がり量調節機構
５２０ａ……回転・垂直運動変換装置
５２０ｂ……押え上がり量調節装置
５４０……回動操作／直線送り切換機構
５４０ａ……回動操作／直線送り切換装置
６０１……送り歯
【図１】
2010213867.tif 000003
【図２】
2010213867.tif 000004
【図３（Ａ）】
2010213867.tif 000005
【図３（Ｂ）】
2010213867.tif 000006
【図３（Ｃ）】
2010213867.tif 000007
【図４】
2010213867.tif 000008
【図５】
2010213867.tif 000009
【図６（Ａ）】
2010213867.tif 000010
【図６（Ｂ）】
2010213867.tif 000011
【図６（Ｃ）】
2010213867.tif 000012
【図６（Ｄ）】
2010213867.tif 000013
【図７】
2010213867.tif 000014
【図８】
2010213867.tif 000015
【図９】
2010213867.tif 000016
【図１０】
2010213867.tif 000017
【図１１】
2010213867.tif 000018
【図１２】
2010213867.tif 000019
【図１３】
2010213867.tif 000020
【図１４】
2010213867.tif 000021